【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  被写体像を撮像して画像データを出力する撮像素子と、
上記撮像素子への露光量を制御するシャッタと、
被写体輝度に応じて上記撮像素子の積分時間を算出する算出回路と、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、第１撮像動作の積分時間と上記第２撮像動作で記録された積分時間との比較結果が所定の範囲に入る場合は該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする電子カメラ。
【請求項２】  被写体像を撮像して画像データを出力する撮像素子と、
上記撮像素子への露光量を制御するシャッタと、
被写体輝度に応じて上記撮像素子の積分時間を算出する算出回路と、
上記画像データを記録する際の複数の圧縮率に対応させられた画質から１つの画質を手動選択操作に応じて選択する選択回路と、
上記画質に各々対応して積分時間に関する係数を記憶した記憶回路と、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、第１撮像動作の積分時間と上記第２撮像動作で記録された積分時間との比較結果が選択された画質に応じて上記記憶回路から読み出した係数により定まる範囲に入るか否かを判定し、該比較結果が該範囲に入る場合は該比較結果に応じて記憶されている固定パターンノイズデータを補正して上記補正動作を実行し、上記比較結果が上記範囲に入らない場合は第２撮像動作を実行して新たな固定パターンノイズデータを取込んだ後に上記補正動作を実行することを特徴とする電子カメラ。
【請求項３】  被写体像を撮像して画像データを出力する撮像素子と、
上記撮像素子への露光量を制御するシャッタと、
被写体輝度に応じて上記撮像素子の積分時間を算出する算出回路と、
温度を測定する温度センサと、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、上記温度センサの測定した温度と上記第２撮像動作で記録された温度との比較結果が所定の範囲に入るならば該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする電子カメラ。
【請求項４】  被写体像を撮像して画像データを出力する撮像素子と、
上記撮像素子への露光量を制御するシャッタと、
被写体輝度に応じて上記撮像素子の積分時間を算出する算出回路と、
温度を測定する温度センサと、
上記画像データを記録する際の複数の圧縮率に対応させられた画質から１つの画質を手動選択操作に応じて選択する選択回路と、
上記画質に各々対応して設定される温度に関する許容値を記憶した記憶回路と、
上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、
を有した電子カメラに於いて、
上記制御回路は、上記第１撮像動作の実行後、上記温度センサの測定した温度と上記第２撮像動作の実行後に記録された温度との比較間結果が選択された画質に応じて上記記憶回路から読み出した許容値に入るか否かを判定し、該比較結果が該許容値に入る場合は該比較結果に応じて記憶されている固定パターンノイズデータを補正して上記補正動作を実行し、上記比較結果が上記許容値に入らない場合は第２撮像動作を実行して新たな固定パターンノイズデータを取込んだ後に上記補正動作を実行することを特徴とする電子カメラ。
【手続補正２】
【補正対象書類名】明細書
【補正対象項目名】０００７
【補正方法】変更
【補正の内容】
【０００７】
【課題を解決するための手段】
すなわちこの発明は、被写体像を撮像して画像データを出力する撮像素子と、上記撮像素子への露光量を制御するシャッタと、被写体輝度に応じて上記撮像素子の積分時間を算出する算出回路と、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、第１撮像動作の積分時間と上記第２撮像動作で記録された積分時間との比較結果が所定の範囲に入る場合は該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする。  
またこの発明は、被写体像を撮像して画像データを出力する撮像素子と、上記撮像素子への露光量を制御するシャッタと、被写体輝度に応じて上記撮像素子の積分時間を算出する算出回路と、上記画像データを記録する際の複数の圧縮率に対応させられた画質から１つの画質を手動選択操作に応じて選択する選択回路と、上記画質に各々対応して積分時間に関する係数を記憶した記憶回路と、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、第１撮像動作の積分時間と上記第２撮像動作で記録された積分時間との比較結果が選択された画質に応じて上記記憶回路から読み出した係数により定まる範囲に入るか否かを判定し、該比較結果が該範囲に入る場合は該比較結果に応じて記憶されている固定パターンノイズデータを補正して上記補正動作を実行し、上記比較結果が上記範囲に入らない場合は第２撮像動作を実行して新たな固定パターンノイズデータを取込んだ後に上記補正動作を実行することを特徴とする。 
更にこの発明は、被写体像を撮像して画像データを出力する撮像素子と、上記撮像素子への露光量を制御するシャッタと、被写体輝度に応じて上記撮像素子の積分時間を算出する算出回路と、温度を測定する温度センサと、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、上記温度センサの測定した温度と上記第２撮像動作で記録された温度との比較結果が所定の範囲に入るならば該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行することを特徴とする。 
この発明は、被写体像を撮像して画像データを出力する撮像素子と、上記撮像素子への露光量を制御するシャッタと、被写体輝度に応じて上記撮像素子の積分時間を算出する算出回路と、温度を測定する温度センサと、上記画像データを記録する際の複数の圧縮率に対応させられた画質から１つの画質を手動選択操作に応じて選択する選択回路と、上記画質に各々対応して設定される温度に関する許容値を記憶した記憶回路と、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能な制御回路と、を有した電子カメラに於いて、上記制御回路は、上記第１撮像動作の実行後、上記温度センサの測定した温度と上記第２撮像動作の実行後に記録された温度との比較間結果が選択された画質に応じて上記記憶回路から読み出した許容値に入るか否かを判定し、該比較結果が該許容値に入る場合は該比較結果に応じて記憶されている固定パターンノイズデータを補正して上記補正動作を実行し、上記比較結果が上記許容値に入らない場合は第２撮像動作を実行して新たな固定パターンノイズデータを取込んだ後に上記補正動作を実行することを特徴とする。
【手続補正３】
【補正対象書類名】明細書
【補正対象項目名】０００８
【補正方法】変更
【補正の内容】
【０００８】
この発明の電子カメラにあっては、撮像素子によって被写体像が撮像されて画像データが出力され、上記撮像素子への露光量がシャッタによって制御される。また、被写体輝度に応じて上記撮像素子の積分時間が算出回路により算出される。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、第１撮像動作の積分時間と上記第２撮像動作で記録された積分時間との比較結果が所定の範囲に入る場合は該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行する。  
またこの発明の電子カメラにあっては、撮像素子により被写体像が撮像されて画像データが出力され、上記撮像素子への露光量がシャッタによって制御される。また、被写体輝度に応じて上記撮像素子の積分時間が算出回路によって算出される。選択回路では、上記画像データを記録する際の複数の圧縮率に対応させられた画質から１つの画質が手動選択操作に応じて選択され、上記画質に各々対応して積分時間に関する係数が記憶回路に記憶されている。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記積分時間とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、第１撮像動作の積分時間と上記第２撮像動作で記録された積分時間との比較結果が選択された画質に応じて上記記憶回路から読み出した係数により定まる範囲に入るか否かを判定し、該比較結果が該範囲に入る場合は該比較結果に応じて記憶されている固定パターンノイズデータを補正して上記補正動作を実行し、上記比較結果が上記範囲に入らない場合は第２撮像動作を実行して新たな固定パターンノイズデータを取込んだ後に上記補正動作を実行する。 
またこの発明の電子カメラにあっては、撮像素子により被写体像が撮像されて画像データが出力され、上記撮像素子への露光量がシャッタによって制御される。また、被写体輝度に応じて上記撮像素子の積分時間が算出回路で算出され、温度センサによって温度が測定される。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、上記温度センサの測定した温度と上記第２撮像動作で記録された温度との比較結果が所定の範囲に入るならば該比較結果に応じて記憶されている固定パターンノイズデータを補正して上記補正動作を実行し、上記比較結果が所定の範囲に入らない場合は第２撮像動作を実行して新たな固定パターンノイズデータを取込んだ後に上記補正動作を実行する。 
そして、この発明の電子カメラにあっては、撮像素子によって被写体像が撮像されて画像データが出力され、上記撮像素子への露光量がシャッタによって制御される。また、被写体輝度に応じて上記撮像素子の積分時間が算出回路で算出され、温度センサによって温度が測定される。選択回路では、上記画像データを記録する際の複数の圧縮率に対応させられた画質から１つの画質が手動選択操作に応じて選択される。上記画質に各々対応して設定される温度に関する許容値は記憶回路に記憶されている。そして、制御回路に於いて、上記シャッタを開いて上記算出回路が算出した積分時間の間上記撮像素子を積分して画像データを取込む第１撮像動作と、上記シャッタを閉じた状態で上記第１撮像動作と同じ積分時間の間上記撮像素子を積分動作させて固定パターンノイズデータを取込み、該固定パターンノイズデータと上記温度センサで測定した温度とを記憶する第２撮像動作と、を実行可能であって、上記第１撮像動作で取込んだ画像データを上記第２撮像動作で取込んだ固定パターンノイズデータを用いて補正する補正動作を実行可能となる。上記制御回路は、上記第１撮像動作の実行後、上記温度センサの測定した温度と上記第２撮像動作の実行後に記録された温度との比較間結果が選択された画質に応じて上記記憶回路から読み出した許容値に入るか否かを判定し、該比較結果が該許容値に入る場合は該比較結果に応じて記憶されている固定パターンノイズデータを補正して上記補正動作を実行し、上記比較結果が上記許容値に入らない場合は第２撮像動作を実行して新たな固定パターンノイズデータを取込んだ後に上記補正動作を実行する。